(57)【特許請求の範囲】
【請求項１】
テレビゲーム機などの操作盤に取り付けられディスプレイ上に表示されたキャラクターなどの動きを制御するものであって、
前記操作盤に取り付けられるところの収容部とこの収容部を構成する底板の中央部に貫通孔を設けたところのボックス形状を呈したベース部材と、
このベース部材の前記収容部内に設置固定されたところの中央部に前記貫通孔と軸心を共通にして設けられたガイド孔とを有するガイドベースと、
前記貫通孔の下部側に設けた湾曲軸受部に揺動可能に係合させたベアリング部材と、
このベアリング部材の中央部と前記貫通孔と前記ガイド孔を貫通して上下方向に延びる操作レバーと、
この操作レバーが前記ガイド孔より突出した上側部分に設けられ、当該操作レバーの揺動状態からの自立復帰を行う自立復帰手段と、
前記操作レバーの下端部にマグネットホルダーを介して取り付けられたマグネットと、
前記ベース部材の下部側に所定間隔を設けて取り付けられたセンサーブラケットと、
このセンサーブラケットに前記マグネットに対して所定間隔を設けて取り付けられた磁気センサーとから成り、
前記自立復帰手段のスプリングエンドが前記ガイドベースのガイド孔の中に周囲に間隙を設けて設置されており、前記操作レバーの搖動範囲を規制すると共に、前記磁気センサーで前記操作レバーの搖動方向、搖動幅、及び搖動速度の全部或は一部を検知することができるように成したことを特徴とする、複合操作スイッチ。
【請求項２】
テレビゲーム機などの操作盤に取り付けられディスプレイ上に表示されたキャラクターなどの動きを制御するものであって、
前記操作盤に取り付けられるところの収容部とこの収容部を構成する底板の中央部に貫通孔を設けたところのやや深いボックス形状を呈したベース部材と、
このベース部材の前記収容部内に上下方向へ摺動可能に設置されたところの中央部に前記貫通孔と軸心を共通にして設けられたガイド孔とを有するガイドベースと、
このガイドベースに重合固着して成り前記収容部内において前記ガイドベースと共に上下方向へ移動可能に設けられたところの内部に湾曲軸受部を設けたベアリングケースと、
このベアリングケースと前記ベース部材との間に弾設された弾性手段と、
前記湾曲軸受部に揺動自在であるが上下方向の動きを規制されて係合されたベアリング部材と、
このベアリング部材の中央部と前記ガイド孔を貫通して上下方向に延びる操作レバーと、
この操作レバーが前記ガイド孔より突出した上側部分に設けられ、当該操作レバーの揺動状態からの自立復帰を行う自立復帰手段と、
前記操作レバーの下端部にマグネットホルダーを介して取り付けられたマグネットと、
前記ベース部材の下部側に所定間隔を設けて取り付けられたセンサーブラケットと、
このセンサーブラケットに前記マグネットに対して所定間隔を設けて取り付けられた磁気センサーと、
前記ベース部材と前記ベアリングケース或は前記センサーブラケットとの間に設けたフォトセンサーとから成り、
前記自立復帰手段のスプリングエンドが前記ガイドベースのガイド孔の中に周囲に間隙を設けて設置されており、前記操作レバーの搖動範囲を規制すると共に、前記磁気センサーで前記操作レバーの搖動方向、搖動幅、及び搖動速度の全部或は一部を検知し、前記フォトセンサーで前記操作レバーの上下方向の動きを検知できるように成したことを特徴とする、複合操作スイッチ。
【請求項３】
テレビゲーム機などの操作盤に取り付けられディスプレイ上に表示されたキャラクターなどの動きを制御するものであって、
前記操作盤に取り付けられるところの収容部とこの収容部を構成する底板の中央部に貫通孔を設けたところのやや深いボックス形状を呈したベース部材と、
このベース部材の前記収容部内に上下方向へ摺動可能に設置されたところの中央部に前記貫通孔と軸心を共通にして設けられたガイド孔とを有するガイドベースと、
このガイドベースに重合固着して成り前記収容部内において前記ガイドベースと共に上下方向へ移動可能に設けられたところの内部に湾曲軸受部を設けたベアリングケースと、
このベアリングケースと前記ベース部材との間に弾設された弾性手段と、
前記湾曲軸受部に揺動自在であるが上下方向の動きを規制されて係合されたベアリング部材と、
このベアリング部材の中央部と前記ガイド孔を貫通して上下方向に延びる操作レバーと、
この操作レバーが前記ガイド孔より突出した上側部分に設けられ、当該操作レバーの揺動状態からの自立復帰を行う自立復帰手段と、
前記操作レバーの下端部にマグネットホルダーを介して取り付けられたマグネットと、
前記ベース部材の下部側に所定間隔を設けて取り付けられたセンサーブラケットと、
このセンサーブラケットに前記マグネットに対して所定間隔を設けて取り付けられた磁気センサーとから成り、
前記自立復帰手段のスプリングエンドが前記ガイドベースのガイド孔の中に周囲に間隙を設けて設置されており、前記操作レバーの搖動範囲を規制すると共に、前記磁気センサーで前記操作レバーの搖動方向、搖動幅、及び搖動速度の全部或は一部と上下方向の動きを検知できるように成したことを特徴とする、複合操作スイッチ。
【請求項４】
前記磁気センサーは、回路基板の上面側に前記操作レバーのマグネットと対向させて搭載された当該操作レバーの搖動方向、揺動速度、揺動幅の全部或は一部を検知するものと、前記回路基板の裏側に前記操作レバーのマグネットに対向して搭載された前記操作レバーの上下方向に動きを検知するものと、で構成したことを特徴とする、請求項２に記載の複合操作スイッチ。
【請求項５】
請求項１〜３に記載の複合操作スイッチにおいて、
前記操作レバーの上端部には握り部がネジ着され、
前記マグネットホルダーはその外形が角状に形成され、前記ベース部材と前記センサーブラケットとの間には、前記握り部の前記操作レバーの上端に対するネジ着時に前記マグネットホルダーを固定して前記操作レバーの回転を阻止する工具類を挿入するための間隙が設けられていることを特徴とする、複合操作スイッチ。
【請求項６】
請求項１〜３に記載の複合操作スイッチにおいて、前記磁気センサーは、ホール素子であることを特徴とする、複合操作スイッチ。
【請求項７】
請求項２に記載の複合操作スイッチにおいて、前記ベアリングケースは、上部ベアリングケースと下部ベアリングケースを重ね合わせて構成されており、内部に湾曲軸受部が設けられていることを特徴とする、複合操作スイッチ。
【発明の詳細な説明】
【技術分野】
【０００１】
本発明は、とくにテレビゲーム機などの操作盤に取り付けて用いるのに好適な複合操作スイッチに関する。
【背景技術】
【０００２】
現在、テレビゲーム機において、ディスプレイに表示されたキャラクターなどの動きを制御するために、操作盤へ取り付けて用いられている複合操作スイッチとして主流のものは、下記特許文献１と２に示したように、操作盤へ取り付けられるところの貫通孔を有するベース部材の当該貫通孔の上部に湾曲凹部（湾曲軸受部）を設け、この湾曲凹部にベアリング部材を嵌め込み、このベアリング部材を貫通させてベース部材の上下方向へ伸長する操作レバーを設け、この操作レバーのベース部材を貫通した下部側に圧縮コイルスプリングを作用させた自立復帰手段を設け、さらに、ベース部材の下面に操作レバーを貫通させたところの操作レバーの操作範囲を規制するガイド孔を有するガイドプレートを設け、そしてこのガイドプレートの下面に操作レバーを囲んで４個配置した複数のマイクロスイッチを１段或は２段に配置したものである。
【０００３】
尚、一般的に磁気センサーを用いた複合操作スイッチも知られているが、テレビゲーム機の操作盤へ取り付けて用いる複合操作スイッチとしては、まだ実用を見ていない。さらに操作スイッチとしては、他にもフォトセンサーを用いたもの、ポテンションメーターを用いたもの、エンコーダを用いたものなどが特許文献は省略するが公知である。
【先行技術文献】
【特許文献】
【０００４】
【特許文献１】特開２０００−２９９０３６号公報
【特許文献２】特開平９−１１５３９３号公報
【発明の概要】
【発明が解決しようとする課題】
【０００５】
上記特許文献１と２に記載されたものは、スイッチがマイクロスイッチであるため、操作レバーの有効な搖動方向に限度がある上に、機械式の接点であるため、長年使用すると接点が摩耗乃至劣化してしまい寿命が短く、正確な操作ができなくなるという問題があった。
【０００６】
また、その他の操作スイッチとしてフォトセンサーのみを用いたものは、粉塵や汚れの影響を受け易い上に、多数のフォトセンサーを必要とするという問題があり、ポテンションメーターを用いたものは、接点の摩耗や電気的な劣化が生じ長寿命性の点で問題があった。さらに、エンコーダを用いたものは、構造が複雑となるため製造コストが高くなり、小型化が難しいといった問題があった。
【０００７】
とくにテレビゲーム機の複合操作スイッチは、操作レバーの操作回数が多く、また、その取扱いも時として乱暴である。さらに、近年ではテレビゲームの内容も進歩し、キャラクターなどがより多彩かつ複雑な動きを行うゲームソフトも開発されていることから、複合操作スイッチもその動向に合わせてキャラクターなどの制御ができるものが望まれている。
【０００８】
そこで本発明の目的は、長寿命性を有し、操作レバーの搖動方向、搖動速度、搖動幅、さらには上下方向の動きをも検知できる、とくにテレビゲーム機の操作盤へ取り付けて用いるのに好適な複合操作スイッチを提供せんとするにある。
【課題を解決するための手段】
【０００９】
上記課題を解決するために請求項１に係るテレビゲーム機などの操作盤に取り付けられディスプレイ上に表示されたキャラクターなどの動きを制御する複合操作スイッチにおいて、操作盤に取り付けられるところの収容部とこの収容部を構成する底板の中央部に貫通孔を設けたところのボックス形状を呈したベース部材と、このベース部材の収容部内に設置固定されたところの中央部に貫通孔と軸心を共通にして設けられたガイド孔とを有するガイドベースと、貫通孔の下部側に設けた湾曲軸受部に揺動可能に係合させたベアリング部材と、このベアリング部材の中央部と貫通孔と前記ガイド孔を貫通して上下方向に延びる操作レバーと、この操作レバーが前記ガイド孔より突出した上側部分に設けられ、当該操作レバーの揺動状態からの自立復帰を行う自立復帰手段と、前記操作レバーの下端部にマグネットホルダーを介して取り付けられたマグネットと、前記ベース部材の下部側に所定間隔を設けて取り付けられたセンサーブラケットと、このセンサーブラケットに前記マグネットに対して所定間隔を設けて取り付けられた磁気センサーとから成り、前記自立復帰手段のスプリングエンドが前記ガイドベースのガイド孔の中に周囲に間隙を設けて設置されており、前記操作レバーの搖動範囲を規制すると共に、前記磁気センサーで前記操作レバーの搖動方向、搖動幅、及び搖動速度の全部或は一部を検知することができるように成したことを特徴とする。
【００１０】
また、請求項２に係るテレビゲーム機などの操作盤に取り付けられディスプレイ上に表示されたキャラクターなどの動きを制御する複合操作スイッチにおいて、操作盤に取り付けられるところの収容部とこの収容部を構成する底板の中央部に貫通孔を設けたところのやや深いボックス形状を呈したベース部材と、このベース部材の収容部内に上下方向へ摺動可能に設置されたところの中央部に貫通孔と軸心を共通にして設けられたガイド孔とを有するガイドベースと、このガイドベースに重合固着して成り収容部内においてガイドベースと共に上下方向へ移動可能に設けられたところの内部に湾曲軸受部を設けたベアリングケースと、このベアリングケースとベース部材との間に弾設された弾性手段と、湾曲軸受部に揺動自在であるが上下方向の動きを規制されて係合されたベアリング部材と、このベアリング部材の中央部と前記ガイド孔を貫通して上下方向に延びる操作レバーと、この操作レバーが前記ガイド孔より突出した上側部分に設けられ、当該操作レバーの揺動状態からの自立復帰を行う自立復帰手段と、操作レバーの下端部にマグネットホルダーを介して取り付けられたマグネットと、ベース部材の下部側に所定間隔を設けて取り付けられたセンサーブラケットと、このセンサーブラケットにマグネットに対して所定間隔を設けて取り付けられた磁気センサーと、ベース部材とベアリングケース或はセンサーブラケットとの間に設けたフォトセンサーとから成り、自立復帰手段のスプリングエンドがガイドベースのガイド孔の中に周囲に間隙を設けて設置されており、操作レバーの搖動範囲を規制すると共に、磁気センサーで操作レバーの搖動方向、搖動幅、及び搖動速度の全部或は一部を検知し、フォトセンサーで前記操作レバーの上下方向の動きを検知できるように成したことを特徴とする。
【００１１】
さらに、テレビゲーム機などの操作盤に取り付けられディスプレイ上に表示されたキャラクターなどの動きを制御する複合操作スイッチにおいて、操作盤に取り付けられるところの収容部とこの収容部を構成する底板の中央部に貫通孔を設けたところのやや深いボックス形状を呈したベース部材と、このベース部材の収容部内に上下方向へ摺動可能に設置されたところの中央部に貫通孔と軸心を共通にして設けられたガイド孔とを有するガイドベースと、このガイドベースに重合固着して成り収容部内においてガイドベースと共に上下方向へ移動可能に設けられたところの内部に湾曲軸受部を設けたベアリングケースと、このベアリングケースとベース部材との間に弾設された弾性手段と、湾曲軸受部に揺動自在であるが上下方向の動きを規制されて係合されたベアリング部材と、このベアリング部材の中央部とガイド孔を貫通して上下方向に延びる操作レバーと、この操作レバーがガイド孔より突出した上側部分に設けられ、当該操作レバーの揺動状態からの自立復帰を行う自立復帰手段と、操作レバーの下端部にマグネットホルダーを介して取り付けられたマグネットと、ベース部材の下部側に所定間隔を設けて取り付けられたセンサーブラケットと、このセンサーブラケットにマグネットに対して所定間隔を設けて取り付けられた磁気センサーとから成り、自立復帰手段のスプリングエンドがガイドベースのガイド孔の中に周囲に間隙を設けて設置されており、操作レバーの搖動範囲を規制すると共に、磁気センサーで操作レバーの搖動方向、搖動幅、及び搖動速度の全部或は一部と上下方向の動きを検知できるように成したことを特徴とする。
【００１２】
本発明はさらに、磁気センサーを、回路基板の上面側に操作レバーのマグネットと対向させて搭載された当該操作レバーの搖動方向、揺動速度、揺動幅の全部或は一部を検知するものと、回路基板の裏側に操作レバーのマグネットに対向して搭載された操作レバーの上下方向に動きを検知するものと、で構成したことを特徴とする。
【００１３】
本発明は上記いずれの発明においても、前記操作レバーの上端部には握り部がネジ着され、前記マグネットホルダーはその外形が角状に形成され、前記ベース部材と前記センサーブラケットとの間には、前記握り部の前記操作レバーの上端に対するネジ着時に前記マグネットホルダーを固定して前記操作レバーの回転を阻止する工具類を挿入するための間隙が設けられていることを特徴とする。
【００１４】
本発明はさらに、上記いずれの発明においても、前記磁気センサーは、ホール素子であることを特徴とする。
【００１５】
本発明はさらに、請求項２に係る複合操作スイッチにおいて、前記ベアリングケースは、上部ベアリングケースと下部ベアリングケースを重ね合わせて構成されており、内部に湾曲軸受部が設けられていることを特徴とする。
【発明の効果】
【００１６】
本発明は上記のように構成したので、本発明に係る複合操作スイッチは、構造が簡単なことで小型軽量にすることができ、さらに、機械的摩耗、劣化が少なく長期間にわたって安定して使用することができた上で、操作レバーの動きをその搖動方向、搖動幅、搖動速度、及び又は上下方向の動きをも検知できることから、より多彩かつ複雑なテレビゲームに対応できるという特有の効果を奏する。
【図面の簡単な説明】
【００１７】
【図１】本発明の複合操作スイッチの正面図である。
【図２】図１に示した複合操作スイッチの平面図である。
【図３】図１に示した複合操作スイッチの底面図である。
【図４】図１に示した複合操作スイッチの分解斜視図である。
【図５】図１に示した複合操作スイッチを操作盤へ取り付けて見た縦断面図である。
【図６】図５の状態から操作レバーを傾動させた状態を示した縦断面図である。
【図７】図１に示した複合操作スイッチの湾曲軸受部の拡大断面図である。
【図８】本発明の複合操作スイッチの他の実施例を示す斜視図である。
【図９】図８に示した複合操作スイッチの平面図である。
【図１０】図８に示した複合操作スイッチの底面図である。
【図１１】図８に示した複合操作スイッチの部分的な分解斜視図である。
【図１２】図８に示した複合操作スイッチの要部の分解斜視図である。
【図１３】図８に示した複合操作スイッチを操作盤へ取り付けて見た縦断面図である。
【図１４】図１３の状態において操作レバーを傾動させたて見た状態の縦断面図。
【図１５】図９のＡ−Ａ線の方向から見た断面図である。
【図１６】図１５の状態から操作レバーを下押しした状態の断面図である。
【図１７】図８に示した複合操作スイッチのフォトセンサーの部分の説明図である。
【図１８】図８に示した複合操作スイッチのベース部材の平面図である。
【図１９】図１８に示したベース部材のＢ-Ｂ線断面図である。
【図２０】図８に示した複合操作スイッチの上部ベアリングケースの平面図である。
【図２１】図２０に示した上部ベアリングケースのＣ−Ｃ線断面図である。
【図２２】図２０に示した上部ベアリングケースのＤ−Ｄ線断面図である。
【図２３】図に示した複合操作スイッチの下部ベアリングケースの底面図である。
【図２４】図２３に示した下部ベアリングケースのＥ−Ｅ線断面図である。
【図２５】図２３に示した下部ベアリングケースのＦ−Ｆ線断面図である。
【図２６】図８に示した複合操作スイッチのマグネットホルダーの側面図である。
【図２７】図２６に示したマグネットホルダーの底面図である。
【図２８】図８に示した複合操作スイッチのセンサーブラケットの平面図である。
【図２９】図２８に示したセンサーブラケットのＧ−Ｇ線縦断面図である。
【図３０】本発明の複合操作スイッチのさらに他の実施例を示す斜視図である。
【図３１】図３０に示した複合操作スイッチの部分的な分解斜視図である。
【図３２】図３０に示した複合操作スイッチを操作盤へ取り付けて見た縦断面図である。
【図３３】図３２の状態において操作レバーを傾動させたて見た状態の縦断面図。
【図３４】図３０の状態において、操作レバーを下押しして見た状態の縦断面図である。
【発明を実施するための形態】
【００１８】
以下に、本発明を実施するための最良の形態を図面に基づいて説明する。尚、以下の実施例では、本発明をとくにテレビゲーム機用の複合操作スイッチとして説明するが、本発明は例えばメダルゲーム機、プライズマシン、クレーンゲーム機、その他のゲーム機の複合操作スイッチとしても、本発明の目的を逸脱しない範囲で応用できることは言うまでもない。また、所謂当業者は特許請求の範囲内における本発明を変更・修正をして他の実施形態をなすことは容易であり、これらの変更・修正はこの特許請求の範囲に含まれるものであり、以下の説明はこの発明における最良の形態の例であって、この特許請求の範囲を限定するものではない。
【００１９】
図１乃至図７は本発明に係る複合操作スイッチ１の実施例を示す。図面によれば本発明に係る複合操作スイッチ１は、図示してないテレビゲーム機の操作盤２へ取り付けられるところの、底板３ａに貫通孔３ｂを設けた収容部３ｃを有するやや浅いボックス形状のベース部材３と、このベース部材３の収容部３ｃの底板３ａに重ねて設置されたところの中央部にガイド孔６ａを設けたガイドベース６と、底板３ａの貫通孔３ｂの下部に同心状に設けられた湾曲軸受部３ｈと、この湾曲軸受部３ｈに搖動可能に軸受けされたベアリング部材５と、このベアリング部材５に設けた挿通孔５ａとガイド孔６ａを貫通してベース部材３の上下方向へ伸長している操作レバー７と、この操作レバー７の搖動を自立復帰させる自立復帰手段８と、操作レバー７の下部先端にマグネットホルダー１２を介して取り付けられたマグネット１３と、ベース部材３の下部に所定間隔を空けて取り付けられたセンサーブラケット１６と、このセンサーブラケット１６上にマグネット１３に対して所定間隔を空けて取り付けられた磁気センサー１５とで構成されている。
【００２０】
さらに詳しくは、ベース部材３は、例えば、ナイロン製もので、成形加工して作られており、内側に角穴形状の収容部３ｃが設けられ、その上端の両側部に操作盤２の装甲板２ａへ取り付ける際に用いるところの取付孔３ｍ、３ｍを有する取付片３ｄ、３ｄが設けられている。ベース部材３の下端部の四隅には、センサーブラケット１６を取り付けるブラケット取付片３ｅ、３ｅ、３ｅ、３ｅが突設されている。貫通孔３ｂを設けた底板３ａは、その内側の四隅の雌ネジ孔３ｆ、３ｆ、３ｆ、３ｆが設けられ、湾曲軸受部３ｈを形成するために全体として他の部分より厚めに形成されている。
【００２１】
ガイドベース６は、例えばＰＣ製の成形品であり、ガイド孔６ａは内側に向けて傾斜しており、その四隅を取付ネジ６ｂ、６ｂ、６ｂ、６ｂでベース部材３の底板３ａに設けた雌ネジ孔３ｆ、３ｆ、３ｆ、３ｆへネジ着させている。尚、指示記号６ｃ、６ｃ、６ｃ、６ｃは取付ネジ６ｂ、６ｂ、６ｂ、６ｂの取付孔である。
【００２２】
ベース部材３の貫通孔３ｂの周りに同心状に形成される湾曲軸受部３ｈの形状は、お椀を伏せた形状となっており、貫通孔３ｂの下部側に設けられていることから、ここに嵌め込まれるベアリング部材５が上方へ抜け出ないようになっている。また、とくに図７に示したように、この湾曲軸受部３ｈに、縦方向に複数の溝状のグリス溜り３ｉが設けられている。
【００２３】
ベアリング部材５は、例えば機械的強度のあるＰＯＭ製の成形品であり、湾曲軸受部３ｈと同じ形状を呈すると共に、湾曲軸受部３ｈにその底部側から嵌め込まれ円滑に揺動するように構成されている。その中央部には、操作レバー７を挿通させる挿通孔５ａが軸心を共通にさせて設けられている。また、貫通孔３ｂの上部側に同心状に該貫通孔３ｂより大径の窪所３ｇが設けられ、この窪所３ｇの中に操作レバー７を挿通させてワッシャー４が設置され、このワッシャー４とガイドベース６とが重なり合っている。また、ワッシャー４には、操作レバー７を挿通させる挿通孔４ａが設けられている。
【００２４】
操作レバー７は、例えば表面にクロームメッキを施した断面円形状を呈した鉄製のもので、上記したように、シャフト部７ｅがベアリング部材５、ワッシャー４、ガイド孔６ａ、及び自立復帰手段８を貫通してベース部材３の上下方向へ伸び、その上端部に設けた雄ネジ部７ａにそれ自身に設けた雌ネジ部７ｄをネジ着させた玉状の合成樹脂成型品の握り部７ｃを有している。そして、その下端部にマグネットホルダー１２を介してチップ状のマグネット１３が取り付けられている。マグネットホルダー１２は、操作レバー７の下端部に当該操作レバー７を貫通する取付ネジ１２ａで固着されている。実施例のものは市販の工具のスパナを装着できるようにするために六角形状を呈しているが、六角形状に限定されない。
【００２５】
操作レバー７の自立復帰手段８は、その中心部軸方向に設けた挿通孔９ａと、この挿通孔９ａに対し同心状に設けたスプリング挿入溝９ｂとを有し、挿通孔９ａへ操作レバー７を挿通させてワッシャー４の上部でガイドベース６のガイド孔６ａの中に載置されたスプリングエンド９と、その中心部軸方向に設けた挿通孔１０ａに操作レバー７を挿通させつつ、該操作レバー７に設けた周溝７ｂに取り付けたＥリング１０ｂに係止させたスプリング受部材１０と、操作レバー７に環巻きさせつつスプリングエンド９とスプリング受部材１０の間に弾設した圧縮コイルスプリングからなる弾性手段１１とから構成されている。
【００２６】
センサーブラケット１６は、例えばＡＢＳ樹脂製の成形品で、平面４角形状を呈し、その四隅から上端にフック部１６ｂ、１６ｂ、１６ｂ、１６ｂを設けた係止片１６ａ、１６ａ、１６ａ、１６ａを立設し、この各係止片１６ａ、１６ａ、１６ａ、１６ａのフック部１６ｂ、１６ｂ、１６ｂ、１６ｂをベース部材３に設けたブラケット取付片３ｅ、３ｅ、３ｅ、３ｅに設けた係止孔３ｊ、３ｊ、３ｊ、３ｊと係合させることによりベース部材３の下側に所定間隔を空けて取り付けられている。また、センサーブラケット１６には、その略中央部に繰り抜き部１６ｄが設けられ、回路基板１４を取り付ける取付雌ネジ部１６ｃ、１６ｃが設けられている。さらに、センサーブラケット１６とベース部材３との間には、スパナ（工具）を挿入させてマグネットホルダー１２へ装着させるための間隙１７が設けられている。
【００２７】
磁気センサー１５は、実施例ではホールＩＣを用いたもので、センサーブラケット１６の取付雌ネジ部１６ｃ、１６ｃに、取付ネジ１４ａ、１４ａを介して取り付けた回路基板１４の上に、マグネット１３との間に所定間隔を空けて取り付けられている。尚、図４において、指示記号１４ｂ、１４ｂのものは、取付ネジ１４ａ、１４ａ用の取付孔である。磁気センサー１５としては、他にも磁気抵抗効果素子（ＭＲ：ＡＭＲ、ＧＭＲ、ＴＭＲ等）、やコイル等を挙げることができるが、とくにホールＩＣが好ましい。ホールＩＣからなる磁気センサー１５は、ホール効果を利用して磁界の変化を捉えるもので、マグネット１３が移動する方向、位置、及び速度も検知することができ、素子としての小型化が容易である。
【００２８】
ホールＩＣは、電流の流れているものに対し、電流に垂直に磁場をかけると、電流と磁場の両方に直交する方向に起電力が現れるホール効果（Hall effect）を利用している。したがって、例えば、ｘ方向に電流を流し、ｙ方向に磁場をかける。このとき試料を流れている荷電粒子（キャリア）は磁場によるローレンツ力を受けてｚ方向に動くことで、電流と磁場の両方に直交する方向に電場（ホール電場）が発生する。これから、ホールＩＣは、直線方向にその磁界の変化を検知する。
【００２９】
回路基板１４の素材は、電気絶縁性が高く硬度のある材質のものが好ましく、紙フェノール（ＸＰＣ）、紙エポキシ（ＦＲ−３）、ガラス・コンポジット（ＣＥＭ−３）、及びガラス・エポキシ（ＦＲ−４）、などを挙げることができる。とくに、電気的特性、強度、絶縁性が高いことからガラス・コンポジット、ガラス・エポキシなどが好ましい。
【００３０】
次に、本発明に係る複合操作スイッチ１の作用効果について説明する。まず、図５に示したように、本発明の複合操作スイッチ１は、テレビゲーム機の操作盤２の装甲板２ａの下側へ、その取付片３ｄ、３ｄを取付ネジ３ｋ、３ｋで取り付けて用いる。図５と図６に示したように、操作レバー７は上述した従来公知の複合操作スイッチに比べて、自立復帰手段８がベース部材３の上側に取り付けられていることから、その搖動幅が広くなるので、その分操作レバー７を挿通させる大径の挿通孔２ｂが装甲板２ａに設けられており、その上部を挿通孔２ｄへ操作レバー７を挿通させた円盤状のカバー部材２ｃで覆っている。このカバー部材２ｃは操作レバー７の搖動操作と共に操作盤２の装甲板２ａの上面を多方向へスライドすることになる。
【００３１】
操作レバー７は握り部７ｃを手指で持っていずれかの方向へ倒すと、ベアリング部材５により、スプリングエンド９の外周部がガイドベース６のガイド孔６ａに当接する範囲で、３６０度いずれの方向へも揺動させることができ、揺動させた後、操作レバー７から手を放すと自立復帰手段８によって自動的に元の自立状態へ戻ることになる。この際に、操作レバー７の搖動幅は、自立復帰手段８のスプリングエンド９の外周がガイドベース６のガイド孔６ａの内周に当接することによって規制される。即ち、自立復帰手段８のスプリングエンド９は、操作レバー７のガイド部材を兼ねている。
【００３２】
操作レバー７を搖動させると、その下端部に取り付けてあるマグネット１３が操作レバー７を倒した方向とは逆方向へ揺動することになり、マグネット１３は磁気センサー１５に対して離れたり、近づいたりすることになる、このマグネット１３の動作を磁気センサー１５が捉え、必要に応じてその移動方向、移動幅、移動速度の全部或は一部を検知し、テレビゲーム機のディスプレイに表示されているキャラクターなどに多彩且つ複雑な動作を与えることができるものである。
【００３３】
図８乃至図２９は、本発明に係る複合操作スイッチの他の実施例を示す。この実施例２に係る複合操作スイッチ２０は、操作レバー２１の３６０度の方向揺動を検知できた上で、上下方向の動きを検知できる点で実施例１の複合操作スイッチ１とその構成が異なっている。
【００３４】
図面によれば、この実施例２に係る複合操作スイッチ２０は、操作レバー２１に上下方向の動きを与えるために、ガイドベース２２とベアリングケース２４が、ベース部材２５に対して共に上下方向へ摺動できるように構成されている。
【００３５】
即ち、この実施例２に係る複合操作スイッチ２０は、図示してないテレビゲーム機の操作盤２装甲板２ａへ取り付けられるところの底部の四隅に底板２５ａ、２５ａ、２５ａ、２５ａを残し、他は六角形状の貫通孔２５ｂとした実施例１のものに比べてやや深めのボックス形状の収容部２５ｃを有するベース部材２５と、このベース部材２５の収容部２５ｃ内に上下動可能に収容された中央部にガイド孔２２ａを設けたガイドベース２２と、このガイドベース２２に重ね合わせた上で、取付ネジ２２ｃ、２２ｃ、２２ｃ、２２ｃで固着されたところのガイドベース２２と共にベース部材２５の収容部２５ｃの中に上下動可能に収容されたベアリングケース２４と、このベアリングケース２４をガイドベース２２と共に上下方向へ摺動付勢させるために、底板２５ａ、２５ａ、２５ａ、２５ａとベアリングケース２４との間に弾設された圧縮コイルスプリングからなる４個の弾性手段２７と、ベアリングケース２４内部に設けられた挿通孔２４ｃの周りに同心状に設けられた１８０度以上の湾曲角度を有する湾曲軸受部２８と、この湾曲軸受部２８内に３６０度の方向に揺動可能であるが、上下方向の移動を規制されて収容されたベアリング部材２３と、このベアリング部材２３を貫通してベース部材２５の上下方向へ伸びる操作レバー２１と、ベアリングケース２４の上部側に設けられた操作レバー２１の自立復帰手段２９と、操作レバー２１の下部先端にマグネットホルダー３０を介して取り付けられたチップ状のマグネット３１と、ベース部材２５の下部に所定間隔を空けて取り付けられたセンサーブラケット３２と、このセンサーブラケット３２上にマグネット３１に対して所定間隔を空けて取り付けられた回路基板３３上に並置された一対の磁気センサー３４とで構成されている。尚、とくに図１１において指示記号３３ａは、取付ネジ４２，４２の取付ネジ孔である。
【００３６】
さらに、この実施例２に係るものは、フォトセンサー３５がセンサーブラケット３２と下部ベアリングケース２４ｂとの間に設けられている。このフォトセンサー３５は実施例２に係る複合操作スイッチ２０にさらに付加された実施例ということができる。
【００３７】
さらに詳しくは、ベース部材２５は、例えば、ナイロン製もので、成形加工して作られており、内側に角穴形状の収容部２５ｃが設けられ、その上端の両側部に操作盤２へ取り付ける際に用いる取付孔２５ｇ，２５ｇを有する取付片２５ｄが設けられている。収容部２５ｃの底部には、その四隅に４枚の底板２５ａ、２５ａ、２５ａ、２５ａが設けられており、この各底板２５ａの上部には、とくに図１８と図１９に示したように、ボス部２５ｅ、２５ｅ、２５ｅ、２５ｅが突設されている．収容部２５ｃに設けた貫通孔２５ｂは、収容部２５ｃの形状に対して９０度回転させた略六角形状を呈している。各底板２５ａの中のひとつの下面からは、フォトセンサー３５のセンサー取付片２５ｆが一体的に下方へ垂下させて設けられている。
【００３８】
ガイドベース２２は、例えばＰＣ製の成形品であり、収容部２５ｃの形状に合わせた平面略四角形状を呈すると共に、その中央部には内側に向けて傾斜したガイド孔２２ａが設けられており、図２２に示したように、各辺に添って４個のネジ取付孔２２ｂが設けられている。
【００３９】
ベアリングケース２４は、上部ベアリングケース２４ａと下部ベアリングケース２４ｂを重ね合わせた構成となっており、上部ベアリングケース２４ａは、収容部２５ｃの形状に合わせた平面四角形状であるが、下部ベアリングケース２４ｂは貫通孔２５ｂの形状に合わせて平面略六角形状を呈している。ベアリングケース２４にはその中心部を貫通する挿通孔２４ｃが設けられており、この挿通孔２４ｃは上部ベアリングケース２４ａと下部ベアリングケース２４ｂの双方に軸芯を共通にして設けられている。ベアリングケース２４とガイドベース２２は、とくに図１２に示したように、取付ネジ２２ｃとナット２２ｄを用いて一体に重ね合わされて固着されており、ベース部材２５の収容部２５ｃの中で上下方向へ移動可能に収容されている。ベアリングケース２４の上部ベアリングケース２４ａの四隅には、とくに図２０〜図２２に示したように、各弾性手段２７を収容する収容穴２４ｄが設けられている。そして、図１１と図１５、図１６に示したように、ベース部材２５の各底板２５ａの各ボス部２５ｅをその下端部に嵌入させて収容穴２４ｄ内に収容させた圧縮コイルスプリングからなる弾性手段２７、２７、２７、２７によって、ベアリングケース２４とガイドベース２２は、常に上方へ摺動付勢されている。
【００４０】
ベアリングケース２４の挿通孔２４ｃの周囲に形成される湾曲軸受部２８は、上部ベアリングケース２４ａの上部湾曲部２８ａと下部ベアリングケース２４ｂの下部湾曲部２８ｂによって形成されており、重ね合わせて１つの湾曲軸受部２８が形成されるようになっている。即ち、この湾曲軸受部２８の上部ベアリングケース２４ａの上部湾曲部２８ａは下弦が１８０度であるが、下部ベアリングケース２４ｂの下部湾曲部２８ｂはその上弦が１８０度から始まり、この１８０度より大きい角度まで延びている。上部ベアリングケース２４ａには、とくに図１２と図２０〜図２２に示したように、挿通孔２４ｃと同心状に窪所２４ｇが設けられ、この窪所２４ｇには、ワッシャー４１がその中心部に設けた挿通孔４１ａへ操作レバー２１を挿通させて載置されている。尚、とくに図１０と図１２及び図２０〜図２５に示したように、指示記号２４ｅと２４ｆは、取付ネジ２２ｃのネジ挿通孔であり、指示記号２４ｊ、２４ｊ、２４ｊ、２４ｊは、下部ベアリングケース２４ｂをベース部材２５の底板２５ａへ、上方へ抜け出ないように係止する弾性係止部材である、さらに指示記号２４ｈ、２４ｈのものは、センサーブラケット３２の係止部材３２ａ、３２ａのフック部３２ｂ、３２ｂを係止するブラケット取付片である。さらに、とくに図２８と図２９において、指示記号３２ｃ、３２ｃのものは取付ネジ４２、４２用の雌ネジ孔であり、指示記号３２ｄ、３２ｄのものは、センサーブラケット３２の支持柱である。支持柱３２ｄ、３２ｄは、図２３に示したように、その先端を下部ベアリングケース２４ｂに設けた取付孔２４ｉ、２４ｉに挿入させるものである。さらに、指示記号３２ｅのものは繰り抜き部である。
【００４１】
ベアリング部材２３は、例えば機械的強度のあるＰＯＭ製の成形品であり、マグネットホルダー３０と一体に成形してあり、とくに図２６に示したように、マグネットホルダー３０及びベアリング部材２３に軸芯を共通にして設けた段付き挿通孔２３ａへ、図１４〜図１６に示したように、操作レバー２１を挿通させ、マグネットホルダー３０に設けた雌ネジ孔３０ｂを介して取付ネジ３０ｃで操作レバー２１の下端部に固着してある。ベアリング部材２３の部分は、湾曲軸受部２８とほぼ同じ形状を呈しているが、ベアリング部材２３の上部は、上部ベアリングケース２４ａの上部湾曲部２８ａに嵌合し、下部は下部ベアリングケース２４ｂの下部湾曲部２８ｂの１８０度より小さい角度のところまで伸張している。したがって、ベアリング部材２３は、湾曲軸受部２８の中で操作レバー２１の搖動操作に伴って揺動するが、操作レバー２１の上下方向の動きに対しては、湾曲軸受部２８の中で動くことはなく、操作レバー２１の上下方向の動きに伴って、ベアリングケース２４とガイドベース２２が共に上下方向へ移動する構成である。
【００４２】
下部ベアリングケース２４ｂからは、とくに図１０に示したように、自らを図１５と図１６に一部示したように、センサーブラケット３２を取り付ける一対のブラケット取付片２４ｈ、２４ｈが垂下して設けられている。したがって、操作レバー２１はベース部材２５の上側へは抜け出ることはないが、下方へは所定の範囲で移動することが可能である。また、ベアリングケース２４の下方への移動時には、下部ベアリングケース２４ｂがベース部材２５の貫通孔２５ｂの中を摺動することになる。さらに、この下部ベアリングケース２４ｂには、フォトセンサー３５の遮光板３５ｂが一体に設けられ下方に垂下されている。
【００４３】
このことにより、操作レバー２１を下押ししたときにベアリングケース２４はガイドベース２２と共に下降し、手を離すと各弾性手段２７の弾力により元位置に戻る。この際に遮光板３５ｂがフォトセンサー３５の発光素子と受光素子の間に侵入或は離脱することから、これを検知することができるものである。各弾性手段２７は圧縮コイルスプリングに変えて、ゴムなどを用いることができる。
【００４４】
操作レバー２１は、例えば表面にクロームメッキを施した断面円形状を呈した鉄製のもので、上記したように、シャフト部２１ｆがベアリングケース２４、ワッシャ−４１、ガイドベース２２、及び自立復帰手段２９を貫通してベース部材２５の上下方向へ伸び、その上端部に設けた雄ネジ部２１ａにそれ自身に設けた雌ネジ部２１ｂをネジ着させた玉状の合成樹脂成型品の握り部２１ｃを有している。そして、その下端部にマグネットホルダー３０を介してチップ状のマグネット３１が取り付けられている。マグネットホルダー３０は、実施例のものは市販のスパナ（工具）を装着できるようにするために六角形状を呈しているが、六角形状に限定されない。
【００４５】
操作レバー２１の自立復帰手段２９は、その中心部軸方向に設けた挿通孔３８ａと、この挿通孔３８ａに対し同心状に設けたスプリング挿入溝３８ｂとを有し、挿通孔３８ａへ操作レバー２１を挿通させてワッシャー４１の上部でガイドベース２２のガイド孔２２ａの中に載置されたスプリングエンド３８と、その中心部軸方向に設けた挿通孔３９ａに操作レバー２１を挿通させつつ、該操作レバー２１に設けた周溝２１ｅに取り付けたＥリング２１ｄに係止させたスプリング受部材３９と、操作レバー２１に環巻きさせつつスプリングエンド３８とスプリング受部材３９の間に弾設した圧縮コイルスプリングからなる弾性手段４０とから構成されている。
【００４６】
センサーブラケット３２は、例えばＡＢＳ樹脂製の成形品で、平面４角形状の枠体であり、その両側部から上端にフック部３２ｂ、３２ｂを設けた係止部材３２ａ、３２ａを立設し、この係止部材３２ａ、３２ａのフック部３２ｂ、３２ｂを下部ベアリングケース２４ｂに設けたブラケット取付片２４ｈ、２４ｈに設けた係止孔２４k、２４k（一方のみ図１２に表示）と係合させることにより、ベース部材２５の下側に所定間隔を空けて取り付けられている。さらに、センサーブラケット３２とベース部材２５との間には、操作レバー２１の上端部に握り部２１ｃをネジ着させる際に、スパナを挿入させてマグネットホルダー３０へ装着させ操作レバー２１の回転を阻止するための間隙２６が設けられている。
【００４７】
磁気センサー３４は、実施例ではホール素子を用いたもので、センサーブラケット３２の略中央部に取り付けた回路基板３３の上にマグネット３１との間に所定間隔を空けて一対取り付けられている。磁気センサー３４としては、他にも磁気抵抗効果素子（ＭＲ：ＡＭＲ、ＧＭＲ、ＴＭＲ等）、やコイル等を挙げることができる。特に、ホールＩＣが好ましい。ホールＩＣは、ホール効果を利用して磁界の変化を捉えるもので、マグネットが移動する方向、位置も検知することができ、素子としての小型化が容易である。
【００４８】
磁気センサー３４は、実施例１と同じホール素子を用いているが、この実施例２に係るものは、操作レバー２１の揺動方向、揺動幅、揺動速度を検知できるものである。即ち、実施例２に係る磁気センサー３４は、直線方向にその磁界の変化を検知する。これによって、操作レバー２１を回動させると２つのホールＩＣに発生する電場の大きさを検知することで、平面上でどちらの方向に運動していようとも、その運動を検知することができる。したがって、直交する状態の２つのホールＩＣで、操作レバー２１の先端に備えるマグネット３１の運動を平面的に捉えることができる。
【００４９】
以下に実施例２に係る複合操作スイッチ２０の作用効果について、実施例２特有のものを説明する。この実施例２に係る複合操作スイッチ２０も実施例１のものと同じように操作レバー２１の３６０度の揺動操作を、その操作方向、操作幅、操作速度の全部或は一部と共に検知できる点で同じである。したがって、通常の力で操作レバー２１を操作すれば、実施例１のものと同じように機能する。しかしながら、この実施例２に係る複合操作スイッチ２０は、磁気センサー３４の他にフォトセンサー３５を備えている。このフォトセンサー３５は、上述したように、ベース部材２５の底板２５ａの下面側にセンサー取付片２５ｆを介して該底板２５ａに対して所定間隔を空けて取り付けたハウジング３５ａと、下部ベアリングケース２４ｂに取り付けた遮光板３５ｂとからなり、操作レバー２１を押すと、共に動く遮光板３５ｂによってハウジング３５ａ内に対置させた図示してない発光素子と受光素子の光路を遮蔽するか、導通させるかして、操作レバー２１の上下方向の動きを検知するものであり、テレビゲーム機のディスプレイに表示されたキャラクターなどの動きをより多彩に制御することが可能となるものである。即ち、通常の力で操作レバー２１を操作すれば、実施例１のものと同じように機能する。しかるに、この実施例２に係る複合操作スイッチ２０は、上述したように、操作レバー２１の上下方向へ移動させることができる。即ち、操作レバー２１を通常よりも力を入れて下押しすると、該操作レバー２１は弾性手段２７、２７、２７、２７の弾力に抗して下側へ移動し、同時に下部ベアリングケース２４ｂが共に下降する。その結果、この下部ベアリングケース２４ｂに取り付けた遮光板３５ｂがハウジング３５ａに設けた溝３５ｃに嵌入するので、発光素子から受光素子への光路が遮断されるか、或は導通されることから、このフォトセンサー３５を用いてもその上下方向の動きを検知することができるものである。操作レバー２１に加えている押圧力を解くと、該操作レバー２１は弾性手段２７、２７、２７、２７の弾力により、自動的に元位置に戻ることになる。遮光板３５ｂが発光素子と受光素子の間の光路を開放する方式でもよいことは上述した。
【００５０】
図３０〜図３４はさらに本発明の他の実施例を示す。図面によれば、この実施例３に係る複合操作スイッチ４５は、実施例１に示した操作レバー７の上下方向の動きを検知するに当たり、当該実施例２のフォトセンサー３５に代わり、操作レバー２１の上下方向の動きを検知するホールＩＣの磁気センサー４６ｂを用いたものである。その結果、実施例２のフォトセンサー３５、及びこのフォトセンサー３５の下部ベアリング部材４ｂを上下方向へ動作させる機構を省略し、構成を簡略化させることが可能となったものである。
【００５１】
図面によれば、この実施例３に係る複合操作スイッチ４５の部材とその構成は、実施例１のものと同じものは同じ構成あるので、指示記号の一致するものは、その説明を省略する。尚、上記実施例１で説明不足のものは、実施例２の部材で同じものについて実施例２の説明による。実施例１と異なっているのは、ベース部材４７、センサーブラケット５０、及び磁気センサー４６の部分であり、実施例２のものと異なっているのは、主としてフォトセンサー３５がないこととである。以下これらの部材について説明する。
【００５２】
この実施例３（以下同様）に係る複合操作スイッチ４５のベース部材４７は、ナイロン製で角穴形状の収容部４７ｃを有するボックス形状のもので、成型加工で作られ、収容部４７ｃを構成する底板４７ａには貫通孔４７ｂが設けられている。さらに、収容部４７ｃの上端の両側部に操作盤２の装甲板２ａへ取り付ける際に用いるところの取付孔４７ｊ、４７ｊを有する取付片４７ｄ、４７ｄが設けられている。ベース部材４７の４隅からはセンサーブラケット５０を取り付けるところの、先端に係止駒部４７ｍ、４７ｍ・・・を設けた４本のブラケット取付片４７ｅ、４７ｅ・・・が突設されている。貫通孔４７ｂを設けた底板４７ａは、湾曲軸受部４７ｈを形成するために全体として他の部分より厚めに形成されると共に、貫通孔４７ｂを囲んで、ワッシャー４１を収容させる窪所４７ｇが設けられている。その他、湾曲軸受部４７ｈには、複数の帯状のグリス溜り４７ｉが設けられている点は、先の実施例と同じである。
【００５３】
センサーブラケット５０は、中央部に４角形状の収装孔５０ａを設けた平面矩形状のもので、その４隅にベース部材４７のブラケット取付片４７ｅ、４７ｅ・・用の第１係止孔５０ｂ、５０ｂ・・が設けられると共に、収装孔５０ａの両側には、蓋部材５２の一対の係止片５２ａ、５２ａを係止する第２係止孔５０ｃ、５０ｃが設けられている。収装孔５０ａの中に磁気センサー４６の回路基板４８を収容させると共に、その上部から蓋部材５２を被せ、係止片５２ａ、５２ａを第２係止孔５０ｃ、５０ｃへ挿入係止させて固定するものである。
【００５４】
ベアリング部材４９は、実施例２ものと同じ構成である。このベアリング部材４９を軸受する湾曲軸受部４７ｈは、実施例２のもののように２分割されていず、実施例１のもののように、ベース部材４７の底板４７ａに設けられている。この底板４７ａには、ベアリング部材４９の下降を規制するストッパー板５１が取り付けられている。このストッパー板５１にはその中央部に挿通孔５１ａが設けられ、操作レバーの搖動及び挿通を許容している。
【００５５】
さらに、磁気センサー４６を取り付けた回路基板４８は、センサーブラケット５０の中央部に設けた収装孔５０ａに嵌め込まれた後、上部から蓋部材５２が被せられ、この蓋部材５２に設けた係止片５２ａ、５２ａ・・が、センサーブラケット５０に設けた係止孔５０ｂ、５０ｂ・・へ係止される構成となっている。
【００５６】
回路基板４８にはその上面に、操作レバー７の３６０度方向の搖動方向、揺動速度、揺動幅の全部一部を検知する、例えばホールＩＣからなる第1磁気センサー４６ａが取り付けられ、下面側に操作レバー７の上下方向の動きを検知する例えばホールＩＣからなる第２磁気センサー４６ｂが取り付けられている。尚、この実施例３では、磁気センサー４６を、回路基板４８の表側に取り付けられた第1磁気センサー４６ａと、下面側に取り付けられた第２磁気センサー４６ｂとで構成してあるが、例えば回路基板４８の上側に取り付けられる磁気センサーのみで、操作レバー７の搖動と上下方向の移動を検知することができるように構成してもよい。
【００５７】
湾曲軸受部４７ｈは、ベアリング部材４９の上下方向の動きを許容する形状となっており、操作レバー７を下押しするとベアリング部材４９も共に下降し、その移動幅はベアリング部材４９がストッパー板５１に当接することで規制される構成である。
【００５８】
以下にその作用効果について説明するが、指示記号の同じものは実施例１のものと同じ作用効果を奏するので、その説明を省略する。この実施例３に係る複合操作スイッチ４５も実施例１のものと同じように操作レバー７の３６０度の揺動操作を、その操作方向、操作幅、操作速度の全部或は一部と共に検知できる点で同じである。したがって、通常の力で操作レバー７を操作すれば、実施例１或は２のものと同じように機能する。然るにこの実施例３に係る複合操作スイッチ４５は、上述したように、実施例２の操作レバー２１と同じように、操作レバー７の上下方向の動きを検知できる。即ち、操作レバー７を通常よりも力を入れて下押しすると、該操作レバー７は自立復帰手段８の弾性手段１１の弾力に抗して下側へ移動し、その先端に取り付けたマグネット１３が磁気センサ−４６ｂに近づくことから、単に実施例２のフォトセンサー３５のように、操作レバー７の上下方向の動きを検知する以外に、その移動速度と移動幅をも磁気センサー４６ｂを取り付けた回路基板４８が検知することができるものである。
【００５９】
操作レバー７に対する下押し動作を解除すると、自立復帰手段８の弾性手段１１の弾力により、操作レバー７は上動し、元位置に戻ることなる。また、この実施例3に係る複合操作スイッチ４５においても、ベース部材４７とセンサーブラケット５０との間に、実施例１及び２と同じように、工具を挿入する間隙５３が設けられている。
【産業上の利用可能性】
【００６０】
本発明は以上のように構成したので、構造が簡単なことで小型軽量にすることができ、さらに、機械的摩耗、劣化が少なく長期間にわたって安定して使用することができる各種ゲーム機などの電気・電子機器の複合操作スイッチとして好適に用いられるものである。
【符号の説明】
【００６１】
１、２０、４５  複合操作スイッチ
２  操作盤
３、２５、４７  ベース部材
３ａ、２５ａ  底板
３ｂ、２５ｂ  貫通孔
３ｃ、２５ｃ  収容部
３ｈ、２８  湾曲軸受部
５、２３、４９  ベアリング部材
６、２２  ガイドベース
６ａ、２２ａ  ガイド孔
７、２１  操作レバー
７ｃ、２１ｃ  握り部
８  自立復帰手段
９、３８  スプリングエンド
１１、２７、４０  弾性手段
１２、３０  マグネットホルダー
１３、３１  マグネット
１４、３３、４８  回路基板
１５、３４、４６  磁気センサー
１６、３２、５０  センサーブラケット
１７、２６、５３  間隙
２４  ベアリングケース
２４ａ  上部ベアリングケース
２４ｂ  下部ベアリングケース
３５  フォトセンサー
【要約】      （修正有）【課題】検知のための手段が、構造が簡単なことで小型軽量化でき、機械的摩耗、劣化が少なく長期間にわたって安定して使用することができる複合操作スイッチを提供する。【解決手段】貫通孔３ｂを設けたベース部材３と、ガイド孔６ａを有するガイドベース６と、貫通孔の下部側に設けた湾曲軸受部に揺動可能に係合させたベアリング部材５と、ベアリング部材の中央部と前記貫通孔と前記ガイド孔を貫通して上下方向に延びる操作レバー７と、操作レバーが前記ガイド孔より突出した上側部分に設けられ、当該操作レバーの揺動状態からの自立復帰を行う自立復帰手段８と、操作レバーの下端部にマグネットホルダーを介して取り付けられたマグネット１３と、ベース部材の下部側に所定間隔を設けて取り付けられた磁気センサー１５を取り付けたセンサーブラケット１６とで構成し、自立復帰手段のスプリングエンド９が前記ガイドベースのガイド孔の中に周囲に間隙を設けた。【選択図】図５【図１】
0005535362.tif 000002
【図２】
0005535362.tif 000003
【図３】
0005535362.tif 000004
【図４】
0005535362.tif 000005
【図５】
0005535362.tif 000006
【図６】
0005535362.tif 000007
【図７】
0005535362.tif 000008
【図８】
0005535362.tif 000009
【図９】
0005535362.tif 000010
【図１０】
0005535362.tif 000011
【図１１】
0005535362.tif 000012
【図１２】
0005535362.tif 000013
【図１３】
0005535362.tif 000014
【図１４】
0005535362.tif 000015
【図１５】
0005535362.tif 000016
【図１６】
0005535362.tif 000017
【図１７】
0005535362.tif 000018
【図１８】
0005535362.tif 000019
【図１９】
0005535362.tif 000020
【図２０】
0005535362.tif 000021
【図２１】
0005535362.tif 000022
【図２２】
0005535362.tif 000023
【図２３】
0005535362.tif 000024
【図２４】
0005535362.tif 000025
【図２５】
0005535362.tif 000026
【図２６】
0005535362.tif 000027
【図２７】
0005535362.tif 000028
【図２８】
0005535362.tif 000029
【図２９】
0005535362.tif 000030
【図３０】
0005535362.tif 000031
【図３１】
0005535362.tif 000032
【図３２】
0005535362.tif 000033
【図３３】
0005535362.tif 000034
【図３４】
0005535362.tif 000035